(57)【要約】【課題】埋込型照明器具において、埋込穴の壁面との隙間を減らし、灯体が首振り自在に設けられている場合において、灯体の広い首振り範囲を担保する。【解決手段】埋込型照明器具は、灯体５と、灯体５を支持する筒状の支持枠３と、支持枠３の外径と略等しい内径と、埋込穴Ｃ２の開口径より大きな外径と、を有する渦巻状の巻きばね２と、を備える。支持枠３は埋込穴Ｃ２に嵌め込まれる。巻きばね２の内径側端部２ａは、支持枠３の外周面を締め付け保持し、巻きばね２の外径側端部２ｂは、器具取付面Ｃ１の背面Ｃ３の埋込穴Ｃ２周縁に配置される。このため、灯体５が首振りにより傾いたときにおいても灯体５と巻きばね２との接触を避けることができ、灯体５の首振り範囲を広くできる。また、支持枠３を固定するのは巻きばね２であるため、ばねの弾性力を生かすため埋込穴Ｃ２の壁面と支持枠３との間の隙間を広げる必要がなく、この隙間を小さくすることができる。【選択図】図４
2008053148.tif 000002
【特許請求の範囲】
【請求項１】
器具取付面に形成された埋込穴に取り付けられる埋込型照明器具において、
灯体と、
前記灯体を支持する筒状の支持枠と、
前記支持枠の外径と略等しい内径と、前記埋込穴の開口径より大きな外径と、を有する渦巻状の巻きばねと、を備え、
前記支持枠は、前記埋込穴に嵌め込まれ、
前記巻きばねの内径側端部は、前記支持枠の外周面を締め付け保持し、
前記巻きばねの外径側端部は、前記器具取付面の背面の埋込穴周縁に配置されることを特徴とする埋込型照明器具。
【請求項２】
前記支持枠は、
内周面に螺旋状の溝が設けられ、外周面が前記巻きばねの内径側端部に締め付け保持される第１の枠体と、
外周面に螺旋状の溝が設けられた第２の枠体と、から成り、
前記第２の枠体は、該第２枠体の溝を前記第１の枠体の溝に合わせて該第１の枠体に螺子入れられることを特徴とする請求項１に記載の埋込型照明器具。
【請求項３】
前記埋込穴は、平面視形状が略円状であり、
前記巻きばねは、螺旋状で、且つ、外形が略逆円錐台状に成形され、前記埋込穴の直径をφとし、該巻きばねの内径側端部の直径をｄ１としたときに条件式ｄ１＜φを満たすことを特徴とする請求項１又は請求項２に記載の埋込型照明器具。
【発明の詳細な説明】
【技術分野】
【０００１】
本発明は、器具取付面に形成された埋込穴に取り付けられる埋込型照明器具に関する。
【背景技術】
【０００２】
従来の埋込型照明器具として、例えば、天井に形成された埋込穴の開口に埋め込まれ、板ばねにより天井に固定される天井埋込型照明器具が知られている（例えば、特許文献１参照）。本照明器具は、ランプが収納され、このランプからの光が射出される光出口が設けられたランプケースと、このランプケースの光出口部外周に配置された枠と、この枠からランプケースの側面方向へ斜めに延びた板ばねとを備える。
【０００３】
上記の板ばねは、天井の開口部周縁と弾性力を利用して係合可能であり、２つの第１板ばねと、第１板ばねより長さが短い２つの第２板ばねとで構成される。２つの第１板ばねは、ランプケースを挟んで対向配置され、２つの第２板ばねは、第１板ばねが対向する方向と略直交する方向にランプケースを挟んで対向配置されている。本照明器具によれば、互いに直交するように対向配置された２組の板ばねによる４カ所の固定により、天井への安定した固定が可能となると共に、ランプケース下端の枠のゆがみが防止され、天井と枠との間に隙間が発生するのを防止できる。また、第１の板ばねは第２の板ばねより長く、それぞれは２つずつ対向配置されているので、まず第１板ばねを天井に係合し、次に第２板ばねを天井に係合すればよい。このため、例えば４つの板ばねが同じ長さであり、同時にそれらを天井に係合する場合に比べて、本照明器具の取付作業が容易となる。
【特許文献１】特開２００６−４０７７３号公報
【発明の開示】
【発明が解決しようとする課題】
【０００４】
しかしながら、特許文献１に記載の技術では、枠を天井に固定するため、板ばねの弾性力を十分に生かすには、天井の開口部の壁面と枠との間に隙間を設ける必要が生じ、枠がランプケースすなわち灯体と共に下方へずれたとき、天井の開口部の壁面と枠との間の隙間が下方から見えて見栄えが悪くなることがあった。また、板ばねは天井裏側に突出するので、天井裏側に位置するランプケースが首振り自在に設けられていた場合、傾いたランプケースが板ばねに接触して、ランプケースの首振りが妨げられることがあった。従って、ランプケースの首振り範囲が制限され、所望の方向への光照射が難しいことがあった。
【０００５】
本発明は、上記従来の問題を解決するためになされたものであり、埋込穴の壁面との隙間を減らすことができ、さらには、灯体が首振り自在に設けられている場合において、灯体の首振り範囲を広くできる埋込型照明器具を提供することを目的とする。
【課題を解決するための手段】
【０００６】
上記目的を達成するために請求項１の発明は、器具取付面に形成された埋込穴に取り付けられる埋込型照明器具において、灯体と、前記灯体を支持する筒状の支持枠と、前記支持枠の外径と略等しい内径と、前記埋込穴の開口径より大きな外径と、を有する渦巻状の巻きばねと、を備え、前記支持枠は、前記埋込穴に嵌め込まれ、前記巻きばねの内径側端部は、前記支持枠の外周面を締め付け保持し、前記巻きばねの外径側端部は、前記器具取付面の背面の埋込穴周縁に配置されるものである。
【０００７】
請求項２の発明は、請求項１に記載の埋込型照明器具において、前記支持枠は、内周面に螺旋状の溝が設けられ、外周面が前記巻きばねの内径側端部に締め付け保持される第１の枠体と、外周面に螺旋状の溝が設けられた第２の枠体と、から成り、前記第２の枠体は、該第２枠体の溝を前記第１の枠体の溝に合わせて該第１の枠体に螺子入れられるものである。
【０００８】
請求項３の発明は、請求項１又は請求項２に記載の埋込型照明器具において、前記埋込穴は、平面視形状が略円状であり、前記巻きばねは、螺旋状で、且つ、外形が略逆円錐台状に成形され、前記埋込穴の直径をφとし、該巻きばねの内径側端部の直径をｄ１としたときに条件式ｄ１＜φを満たすものである。
【発明の効果】
【０００９】
請求項１の発明によれば、ばねの弾性力を生かすため埋込穴の壁面と支持枠との間の隙間を広げる必要がなく、この隙間を小さくすることができる。また、巻きばね２は、器具取付面の背面の埋込穴周縁に配置されるので、灯体が首振り自在に設けられている場合においても、灯体と巻きばねとの接触を避け、灯体の首振り範囲を広くできる。
【００１０】
請求項２の発明によれば、第２の枠体の第１の枠体に対する螺子入れ量を調整することにより、異なる深さの埋込穴に対応して、支持枠を該埋込穴に取り付けることができる。
【００１１】
請求項３の発明によれば、巻きばねにおいて直径が埋込穴より大きく、且つ、埋込穴内で窄められている部分は、復元力により自身を埋込穴の壁面に押し当てるので、巻きばねに取り付けられた支持枠を埋込穴に確実に固定できる。従って、支持枠の枠ずれを防止できる。
【発明を実施するための最良の形態】
【００１２】
以下に、本発明の第１の実施形態に係る埋込型照明器具について図１乃至図４（ａ）（ｂ）を参照して説明する。図１及び図２は、第１の実施形態に係る埋込型照明器具１の構成を示す。埋込型照明器具１は、例えば天井の器具取付面に形成された埋込穴に取り付けられるものである。この埋込穴は、例えば、平面視形状が略円状である。上記の埋込型照明器具１は、平面視渦巻状の巻きばね２と、巻きばね２に嵌め込まれる筒状の支持枠３と、巻きばね２及び支持枠３により埋込穴に取り付けられる本体部４と、本体部４に対して首振り自在に設けられた灯体５と、を備える。以下に、埋込型照明器具１の各構成部品について詳細に説明する。
【００１３】
巻きばね２は、上記のように渦巻状であると共に、螺旋状であり、外形が略逆円錐台状に成形されている。この巻きばね２は、下方から上方へ拡径するように例えば右回りに巻かれており、埋込穴の直径をφ、巻きばね２の内径側端部２ａの直径をｄ１、巻きばね２の外径側端部２ｂの直径をｄ２としたときに条件式ｄ１＜φ＜ｄ２を満たす。また、巻きばね２の内径側端部２ａの直径ｄ１は支持枠３の外径と略等しく、巻きばね２が支持枠３の外周部を締め付け保持できる程度である。
【００１４】
さらに、巻きばね２は、例えば、下部に、先端が折り曲げられることにより形成された折曲部２ｃと、軸心方向に凸である凸部２ｄと有する。折曲部２ｃにおける巻きばね２の先端は、図２の破線枠Ａ部分の拡大底面図に示されるように、巻きばね２の軸心方向に折り曲げられている。また、凸部２ｄは、図２の一点破線枠Ｂ部分の拡大斜視図に示されるように、巻きばね２の一部が、軸心方向に曲げられることにより形成されている。折曲部２ｃ及び凸部２ｄの数は、巻きばね２を支持枠３に確実に取り付けられるように合計で３個以上であることが望ましい。なお、凸部２ｄは、図１及び図２において３個図示されているが、この個数に限定されない。また、巻きばね２の巻き方は、上記に限定されない。
【００１５】
支持枠３は、例えば埋込穴の形状に対応した円筒状部材から成り、外周面の最下部に全周に亘って鍔部３１を有する。さらに、支持枠３は、巻きばね２における折曲部２ｃの先端が挿し込まれる挿込穴３ａと、巻きばね２の凸部２ｄが挿し込まれる挿込穴３ｂとを外周面に有する。挿込穴３ａ、３ｂは、鍔部３１の上方に設けられており、挿込穴３ａ、３ｂの位置及び数は、巻きばね２の折曲部２ｃ及び凸部２ｄのそれぞれの位置及び数に対応している。また、挿込穴３ａ、３ｂの形状も、巻きばね２の折曲部２ｃ及び凸部２ｄのそれぞれの形状と対応している。例えば、挿込穴３ａの開口形状は、図１及び図２において六角形に図示されており、挿込穴３ｂの開口形状は、同図において長方形に描かれている。
【００１６】
本体部４は、灯体５を首振り自在に支持する灯体支持具４１と、この灯体支持具４１を器具取付面に沿う方向に移動可能に支持するコーン４２と、灯体支持具４１及びコーン４２を支持枠３に取り付けるための取付ばね４３と、で構成される。これらは、上方から、灯体支持具４１、取付ばね４３、コーン４２の順で配置されて一体に固定され、支持枠３に下方から嵌め込まれる。
【００１７】
灯体支持具４１は、外形が円状である基板４１１と、基板４１１上面に垂直に設けられ、灯体５を首振り自在に軸支する軸が挿通される軸受け部４１２と、を一体に有する。軸受け部４１２には、灯体５の首振り角の範囲を規制するためストッパが設けられる。上記の基板４１１は、上方の灯体５から出射された光を通過させる開口４１１ａと、灯体支持具４１をコーン４２に固定するためのねじ６１が挿入される長穴４１１ｂと、を有する。開口４１１ａの一端部近傍に、上記の軸受け部４１２が設けられる。長穴４１１ｂの数は例えば２個であり、その大きさは略等しく、２個の長穴４１１ｂは平行して設けられる。首振り軸の軸線は、長穴４１１ｂの長手方向と略直交する。なお、灯体支持具４１の形状は上記に限定されない。
【００１８】
コーン４２は、灯体５から出射された光が通過する貫通孔を有する円筒状部材から成り、平面視でその外形の大きさは灯体支持具４１のそれと略等しい。上記の貫通孔は下方に階段状に拡径している。ここで、この貫通孔の上側開口を投光用開口４２ａという。この投光用開口４２ａの位置は、灯体支持具４１の開口４１１ａに対応しており、投光用開口４２ａは平面視で開口４１１ａと重なる。また、投光用開口４２ａの開口面積は、灯体支持具４１の開口４１１ａのそれより小さい。
【００１９】
さらに、コーン４２は、上面に、灯体支持具４１の長穴４１１ｂに挿入されたねじ６１が挿入されるねじ孔（不図示）を有すると共に、外周面の最下部に、その全周に亘って設けられた鍔部４２１を有する。鍔部４２１の外径は、コーン４２の鍔部４２１以外の部分の外径よりも大きい。また、コーン４２の上面は、外周面に直交する平面であり、天井に取付時に器具取付面と略平行となる。なお、コーン４２の形状は上記に限定されない。
【００２０】
取付ばね４３は、例えば金属製の板状部材から成り、コーン４２の上面形状に応じて成形された平面視円弧状の上底部４３ａと、上底部４３ａの両端部のそれぞれに上底部４３ａと略直交し、コーン４２の側面形状に応じて成形された垂下部４３ｂと、を有する。上底部４３ａは、コーン４２の投光用開口４２ａを塞がないように成形されており、上底部４３ａのコーン４２のねじ孔に対応する部位には、ねじ穴４３ｃが設けられている。さらに、取付ばね４３は、垂下部４３ｂと一続きであり、且つ、コーン４２の側面形状に応じて成形され、上側端部が支持枠３に掛止される掛止部４３ｄを有する。この掛止部４３ｄの上側端部は、折り曲げられて上側に設けられた、支持枠３に取り付け易くするためのテーパ面と、同様に下側に設けられた、支持枠３から外れ難くするためのテーパ面とを有する。また、上側端部の高さは、支持枠３の高さと略等しい。
【００２１】
上記の灯体支持具４１、取付ばね４３及びコーン４２は、ねじ６１により固定されて本体部４を構成する。これらの固定時に、ねじ６１は、上方から、灯体支持具４１の長穴４１１ｂ及び取付ばね４３のねじ穴４３ｃに挿入され、コーン４２のねじ孔に螺子入れられる。ねじ６１が灯体支持具４１の長穴４１１ｂに挿入される際には、ねじ６１に、コイルばね６２と、次に座金６３とが通される。この座金６３は例えば平座金である。このように、灯体支持具４１は、コイルばね６２を介してねじ６１により固定されるので、コイルばね６２の弾性力により、灯体支持具４１をコーン４２に対してコーン４２上面に沿う方向に移動させることが可能になると共に、移動時のがたつきを抑制することができる。
【００２２】
灯体支持具４１の移動方向は、コーン４２上面は器具取付面と略平行であるため、器具取付面に沿った方向である。移動の際、灯体支持具４１は長穴４１１ｂの長手方向に動く。灯体支持具４１が器具取付面に沿う方向に移動していないとき、灯体支持具４１の開口４１１ａはコーン４２の投光用開口４２ａに対応した位置に在って平面視で重なる。
【００２３】
灯体５は、下面に光照射用開口を有し、内部にランプ等の光源（不図示）及び光源を保持するためのソケット（不図示）を納装する。光源から放射された光は、灯体５の光照射用開口から出射される。この光照射用開口の位置は、灯体支持具４１の開口４１１ａ及びコーン４２の投光用開口４２ａに対応している。灯体支持具４１が器具取付面に沿う方向に移動していないとき、すなわち灯体支持具４１に支持される灯体５が器具取付面に沿う方向に移動していないとき、光照射用開口は、平面視で灯体支持具４１の開口４１１ａ及びコーン４２の投光用開口４２ａと重なり、灯体５の軸心はコーン４２の投光用開口４２ａの軸心と略一致する。なお、光源は、例えば、白熱電球、ハロゲンランプ、メタルハライドランプ、電球形蛍光灯又は高輝度ＬＥＤランプであり、これらに限定されない。また、灯体５には、天井裏に配線された電力線（不図示）が接続されており、この電力線から光源に電力が供給される。このため、灯体５及び本体部４が、又は灯体５、本体部４及び支持枠３が天井から外れたとしても、電力線によりこれらは天井に吊り下げられるので、これらの落下を防止できる。
【００２４】
灯体５の光照射用開口周縁の一端部近傍には、軸受け部５１が設けられる。この軸受け部５１に、ねじ８１が挿通され、同ねじがさらに灯体支持具４１の軸受け部４１２に挿通される。これらの軸受け部５１、４１２に挿通されたねじ８１の先端には、ナット８２が締め込まれる。このとき、灯体５の軸受け部５１と灯体支持具４１の軸受け部４１２は、ねじ８１及びナット８２の締め付けトルクが調整されることにより、灯体５が首振り可能となるように固定される。上記構成により、灯体５は、灯体支持具４１の軸受け部４１２に挿通されたねじ８１に軸支され、ねじ８１を首振り軸とし、灯体支持具４１に対して首振り自在に設けられる。従って、灯体５の首振り角を変化させることにより、光照射方向を変えることができる。この首振り角は、任意に設定可能である。なお、ねじ８１は、上記とは逆の順で、灯体支持具４１の軸受け部４１２及び灯体５の軸受け部５１に挿通されても構わない。
【００２５】
上記構成により、本体部４の灯体支持具４１及び灯体５を器具取付面に沿う方向に移動させることができる。このため、灯体５の光源の光軸が本体部４のコーン４２と重ならないように、灯体５の首振り角を設定できる。その結果、光照射範囲を広く設定できる。
【００２６】
図３（ａ）（ｂ）は、埋込型照明器具１における各構成部品の取付後の状態を示す。まず、支持枠３の巻きばね２への取り付けについて説明する。巻きばね２を支持枠３に取り付けるとき、支持枠３は巻きばね２に嵌め込まれ、巻きばね２の内径側端部２ａは、支持枠３の外周面を締め付け保持する。このとき、巻きばね２の折曲部２ｃ及び凸部２ｄのそれぞれは、支持枠３の挿込穴３ａ、３ｂに挿し込まれる。上記の通り、支持枠３の挿込穴３ａ、３ｂのそれぞれは、巻きばね２の折曲部２ｃ及び凸部２ｄに対応する位置に設けられているので、巻きばね２に支持枠３を確実に固定することができる。
【００２７】
次に、本体部４の支持枠３への取り付けについて説明する。図３（ｂ）においては、巻きばね２の図示が省略されている。本体部４の支持枠３への取り付け前に、灯体５を支持する灯体支持具４１、取付ばね４３及びコーン４２が互いに固定され、本体部４が組み立てられる。その後、灯体５が、支持枠３の下方から該支持枠３に挿入され、続いて本体部４が支持枠３に嵌め込まれる。
【００２８】
本体部４は、支持枠３に嵌め込まれるとき、コーン４２の鍔部（図３（ｂ）においては不図示）と、取付ばね４３の掛止部４３ｄの上側端部とが支持枠３を挟むように嵌め込まれる。コーン４２及び取付ばね４３は、支持枠３を挟むことにより、自身を支持枠３に固定する。このようにして、灯体５と、灯体支持具４１、取付ばね４３及びコーン４２から成る本体部４とは、支持枠３に支持される。灯体５は灯体支持具４１により支持されているので、上記構成により、灯体５は、灯体支持具４１、取り付けばね４３及びコーン４２を介して、支持枠３に支持される。
【００２９】
図４（ａ）（ｂ）は、埋込型照明器具１の使用状態を示す。巻きばね２が取り付けられた支持枠３は、天井Ｃ等の器具取付面Ｃ１に形成された埋込穴Ｃ２に嵌め込まれる。上記の通り、巻きばね２は、埋込穴Ｃ２の直径をφ、巻きばね２の内径側端部２ａの直径をｄ１、該巻きばねの外径側端部２ｂの直径をｄ２としたときに条件式ｄ１＜φ＜ｄ２を満たす。巻きばね２及び支持枠３を埋込穴Ｃ２に嵌め込むとき、巻きばね２の外径側端部２ｂを埋込穴Ｃ２の直径より小さくなるように窄ませることにより、巻きばね２を埋込穴Ｃ２に嵌め込むことができる。巻きばね２は下方から上方へ拡径するように右回りに巻かれているので、支持枠３を左回りに回転させながら押し上げることにより、巻きばね２及び支持枠３を埋込穴Ｃ２に容易に嵌め込むことができる。このとき、巻きばね２は、折曲部２ｃ及び凸部２ｄにより支持枠３に固定されているので、支持枠３の回転に伴う巻きばね２の共回りを防止することができる。
【００３０】
支持枠３は、鍔部３１の上面が器具取付面Ｃ１と当接する位置まで押し上げられる。支持枠３が当該位置まで押し上げられたとき、巻きばね２の上部に位置する外径側端部２ｂは、埋込穴Ｃ２から器具取付面Ｃ１の背面Ｃ３へ進出する。巻きばね２の外径側端部２ｂの直径は埋込穴Ｃ２のそれより大きいので、埋込穴Ｃ２から進出したとき、外径側端部２ｂは、埋込穴Ｃ２により窄められた状態から解放される。従って、外径側端部２ｂの径は拡がり、該端部２ｂは器具取付面Ｃ１の背面Ｃ３の埋込穴Ｃ２周縁に配置される。このようにして、巻きばね２の外径側端部２ｂは背面Ｃ３の埋込穴Ｃ２周縁に係止され、巻きばね２に取り付けられた支持枠３は天井Ｃの埋込穴Ｃ２に固定される。このとき、支持枠３は巻きばね２に係止された状態となる。
【００３１】
上記構成により、支持枠３を天井Ｃに固定するばねは巻きばね２であるため、ばねの弾性力を生かすため埋込穴Ｃ２の壁面と支持枠３との間の隙間を広げる必要がなく、この隙間を小さくすることができる。このため、支持枠３が下方へずれたときにおいても、隙間が下方から見え難いので、見栄えが悪くなることを防止できる。また、上記の隙間が小さいので、埋込孔Ｃ２が所定の大きさの開口を有する場合に、支持枠３下部の開口をより大きくすることができる。従って、支持枠３の内側に配置されるコーン４２下部の開口を大きくでき、埋込型照明器具１の器具効率の向上を図ることができる。さらに、巻きばね２の天井Ｃ固定時に、巻きばね２において直径が自由状態で埋込穴Ｃ２より大きく、且つ、埋込穴Ｃ２内に位置して窄められている部分は、復元力により自身を埋込穴Ｃ２の壁面に押し当てる。このため、巻きばね２に取り付けられた支持枠３を、天井Ｃの埋込穴Ｃ２に確実に固定でき、支持枠３の枠ずれを防止できる。ここで、上記の器具効率とは、光源が点灯したときに放射される全光束に対する、光源が埋込型照明器具１に装着されて点灯したときに該器具外に出射される光束の割合を指す。
【００３２】
支持枠３が巻きばね２により天井Ｃの埋込穴Ｃ２に固定された後、灯体５、次いで本体部４が支持枠３に下方から挿入される。本体部４は支持枠３に嵌め込まれ、本体部４の取付ばねの掛止部（図４（ｂ）において不図示）と、コーン４２の鍔部４２１とが支持枠３を挟み込む。この位置で本体部４は支持枠３に固定される。本体部４は、支持枠３を挟んで固定されているだけなので、コーン４２の軸心（一点破線で示す）を中心軸として器具取付面Ｃ１と平行な方向に回転させることができる。本体部４が回転した場合、本体部４に支持される灯体５も回転する。
【００３３】
上記の通り、灯体５は、首振り可能であり、且つ、器具取付面Ｃ１の方向に沿って移動可能な上、器具取付面Ｃ１と平行に回転可能である。従って、従来のように埋込型照明器具１が板ばねにより天井に取り付けられていた場合、灯体５の首振り角を設定して灯体５を傾動させたときに、灯体５が天井裏側に突出した板ばねに接触して、灯体５の首振りが妨げられ、首振り範囲が制限されたことがあった。さらに、灯体５を傾けた状態で、灯体５を回転させたとき、灯体５が板ばねに接触して引っ掛かり、灯体５の回転が妨げられることがあった。従って、所望の方向に灯体５の光を照射できないことがあった。
【００３４】
一方、本実施形態によれば、巻きばね２は、器具取付面Ｃ１の背面Ｃ３に沿って拡がり、背面Ｃ３の埋込穴Ｃ２周縁に配置されるので、灯体５と巻きばね２との接触を避けることができる。従って、灯体５の首振り範囲を広く設定でき、所望の方向への光照射が可能となる。また、灯体５を傾動させたときに灯体５が巻きばね２の外径側端部２ｂに接触し、この状態で灯体５を器具取付面Ｃ１と平行な方向に回転させる場合においても、灯体５は、巻きばね２の外径側端部２ｂのうち灯体と接触する部分に沿って摺動して回転する。従って、灯体５の回転が妨げられないので、所望の方向に灯体５の光を照射することが可能になる。
【００３５】
次に、本発明の第２の実施形態に係る埋込型照明器具１について図５（ａ）（ｂ）（ｃ）及び図６を参照して説明する。第２の実施形態に係る埋込型照明器具１は、第１の実施形態の構成と比較して、巻きばね２及び支持枠３の構成が相違する。図５（ａ）（ｂ）は、第２の実施形態に係る巻きばね２及び支持枠３の構成を示す。この巻きばね２は、第１の実施形態の構成と異なり、巻きばね２の形状が螺旋状ではなく、正面視で略板状である。また、上記支持枠３は、第１の実施形態の構成と異なり、巻きばね２を取り付けるための取付溝３ｃを外周面に有する。なお、第２の実施形態において、第１の実施形態と同一の部材には同一の符号を付している（以下、同様）。
【００３６】
巻きばね２は、平面視螺旋状で、且つ、正面視略板状あって、内径側端部２ａに折曲部２ｃ及び凸部２ｄを有する。この巻きばね２は、内側から外側へ例えば左回りに巻かれている。なお、凸部２ｄは、図５（ａ）において２個図示されているが、凸部２ｄの数は上記に限定されない。巻きばね２を支持枠３に安定して固定させるため、折曲部２ｃ及び凸部２ｄの合計数は３個以上であることが望ましい。また、巻きばね２の巻き方は上記に限定されず、例えば右巻きであっても構わない。
【００３７】
支持枠３の外周面の上部には、全周に亘って取付溝３ｃが設けられている。この取付溝３ｃは、例えば角型溝、Ｕ型溝又はＶ型溝であり、その幅や深さは、巻きばね２の太さに応じて設定されている。この取付溝３ｃの底には、挿込穴３ａ、３ｂが、それぞれ巻きばね２の折曲部２ｃ及び凸部２ｄに対応して設けられている。巻きばね２の内径側端部２ａの直径は、支持枠３の外径から、上記取付溝３ｃの深さの２倍の値を引いた値と略等しく、巻きばね２が支持枠３の取付溝３ｃに取り付けられたときに、支持枠３を締め付け保持できる程度である。
【００３８】
図５（ｃ）は、巻きばね２を支持枠３に取り付けた後の状態を示す。巻きばね２を支持枠３に取り付けるとき、支持枠３は巻きばね２に嵌め込まれ、巻きばね２の内径側端部２ａは、支持枠３の取付溝３ｃに嵌め込まれる。この巻きばね２の内径側端部２ａは、支持枠３の外周面を締め付け保持する。このとき、巻きばね２の折曲部２ｃ及び凸部２ｄのそれぞれは、支持枠３の取付溝３ｃ内に設けられた挿込穴３ａ、３ｂに挿し込まれる。上記の通り、支持枠３の挿込穴３ａ、３ｂのそれぞれは、巻きばね２の折曲部２ｃ及び凸部２ｄに対応する位置に設けられているので、支持枠３を巻きばね２に確実に固定することができる。
【００３９】
図６は、巻きばね２及び支持枠３の使用状態を示す。巻きばね２が取り付けられた支持枠３は、天井Ｃ等の器具取付面Ｃ１に形成された埋込穴Ｃ２に嵌め込まれる。巻きばね２及び支持枠３を埋込穴Ｃ２に嵌め込むとき、巻きばね２の外径側端部２ｂを埋込穴Ｃ２の直径より小さくなるように窄ませることにより、巻きばね２を埋込穴Ｃ２に嵌め込むことができる。巻きばね２は左回りに巻かれているので、支持枠３を右回りに回転させながら押し上げることにより、巻きばね２及び支持枠３を埋込穴Ｃ２に容易に嵌め込むことができる。このとき、巻きばね２は折曲部２ｃ及び凸部２ｄにより支持枠３に固定されているので、支持枠３の回転に伴う巻きばね２の共回りを防止することができる。
【００４０】
支持枠３は、鍔部３１の上面が器具取付面Ｃ１と当接する位置まで押し上げられる。支持枠３が当該位置まで押し上げられたとき、巻きばね２は、埋込穴Ｃ２から器具取付面Ｃ１の背面Ｃ３へ進出する。巻きばね２の外径側端部２ｂの直径は埋込穴Ｃ２のそれより大きいので、埋込穴Ｃ２から進出したとき、外径側端部２ｂは、埋込穴Ｃ２により窄められた状態から解放される。従って、外径側端部２ｂの径は拡がり、該端部２ｂは器具取付面Ｃ１の背面Ｃ３の埋込穴Ｃ２周縁に配置される。このようにして、巻きばね２の外径側端部２ｂは背面Ｃ３の埋込穴Ｃ２周縁に係止され、巻きばね２に取り付けられた支持枠３は天井Ｃの埋込穴Ｃ２に固定される。このとき、支持枠３は巻きばね２に係止された状態となる。第２の実施形態に係る埋込型照明器具１においても、第１の実施形態と同様の作用効果が得られる。
【００４１】
次に、本発明の第３の実施形態に係る埋込型照明器具１について図７（ａ）（ｂ）（ｃ）及び図８を参照して説明する。第３の実施形態に係る埋込型照明器具１は、第２の実施形態の構成と比較して、支持枠３の構成が相違する。図７（ａ）（ｂ）は、第３の実施形態に係る支持枠３の構成を示す。この支持枠３は、第２の実施形態の構成と異なり、軸心に対して略直角に２分割されており、上部枠体３Ａと下部枠体３Ｂの２部品から成る。
【００４２】
上部枠体３Ａは、内周面に螺旋状の溝３ｄを有し、外周面の上部に取付溝３ｃを有する（第１の枠体）。この取付溝３ｃの底には、挿込穴３ａ、３ｂが、それぞれ巻きばね２の折曲部２ｃ及び凸部２ｄに対応して設けられている。下部枠体３Ｂは、外周面に螺旋状の溝３と、その下方で、且つ、外周面の最下部に配置された鍔部３１とを有する（第２の枠体）。上部枠体３Ａの溝３ｄと、下部枠体３Ｂの溝３ｅとは、下方から上方へ例えば左回りに形成されている。上部枠体３Ａの溝３ｄが設けられた部分の内径と、下部枠体３Ｂの溝３ｅが設けられた部分の外径とは略等しい。上部枠体３Ａの溝３ｄ及び下部枠体３Ｂの溝３ｅは、下部枠体３Ｂの溝３ｅを上部枠体３Ａの溝３ｄに合わせて、上部枠体３Ａの溝３ｄに沿って下部枠体３Ｂを上部枠体３Ａに螺子入れることができるように形成されている。なお、上記の溝３ｄ、３ｅの形状は上記に限定されず、下方から上方へ右回りに形成されていてもよい。
【００４３】
図７（ｃ）は、巻きばね２を支持枠３の上部枠体３Ａに取り付けた後の状態を示す。巻きばね２を上部枠体３Ａに取り付けるとき、上部枠体３Ａは巻きばね２に嵌め込まれ、巻きばね２の内径側端部２ａは、上部枠体３Ａの取付溝３ｃに嵌め込まれる。この巻きばね２の内径側端部２ａは、上部枠体３Ａの外周面を締め付け保持する。このとき、巻きばね２の折曲部２ｃ及び凸部２ｄのそれぞれは、上部枠体３Ａの取付溝３ｃ内に設けられた挿込穴３ａ、３ｂに挿し込まれる。
【００４４】
図８は、巻きばね２、上部枠体３Ａ及び下部枠体３Ｂの使用状態を示す。巻きばね２が取り付けられた支持枠３の上部枠体３Ａは、天井Ｃ等の器具取付面Ｃ１に形成された埋込穴Ｃ２に嵌め込まれる。巻きばね２及び上部枠体３Ａを埋込穴Ｃ２に嵌め込むとき、巻きばね２の外径側端部２ｂを埋込穴Ｃ２の直径より小さくなるように窄ませることにより、巻きばね２を埋込穴Ｃ２に嵌め込むことができる。巻きばね２は左回りに巻かれているので、上部枠体３Ａを右回りに回転させながら押し上げることにより、巻きばね２及び上部枠体３Ａを埋込穴Ｃ２に容易に嵌め込むことができる。このとき、巻きばね２は折曲部２ｃ及び凸部２ｄにより上部枠体３Ａに固定されているので、上部枠体３Ａの回転に伴う巻きばね２の共回りを防止することができる。
【００４５】
上部枠体３Ａの押し上げに伴い、巻きばね２は、埋込穴Ｃ２から器具取付面Ｃ１の背面Ｃ３へ進出する。巻きばね２の外径側端部２ｂの直径は埋込穴Ｃ２のそれより大きいので、埋込穴Ｃ２から進出したとき、外径側端部２ｂは、埋込穴Ｃ２により窄められた状態から解放される。従って、外径側端部２ｂの径は拡がり、該端部２ｂは器具取付面Ｃ１の背面Ｃ３の埋込穴Ｃ２周縁に配置される。このようにして、巻きばね２の外径側端部２ｂは背面Ｃ３の埋込穴Ｃ２周縁に係止され、巻きばね２に取り付けられた支持枠３は天井Ｃの埋込穴Ｃ２に固定される。
【００４６】
下部枠体３Ｂは、巻きばね２及び上部枠体３Ｂが天井の背面Ｃ３に配置された後、埋込穴Ｃ２に挿し込まれる。そして、下部枠体３Ｂは、上部枠体３Ａの溝３ｄに合わせて該枠体３Ａに左回しで螺子入れられる。この下部枠体３Ｂの螺子入れは、鍔部３１の上面が器具取付面Ｃ１と当接する位置までなされる。上部枠体３Ａに螺子入れられた下部枠体３Ｂは、上部枠体３Ａと共に、巻きばね２に係止された状態となる。
【００４７】
上記構成により、下部枠体３Ｂの上部枠体３Ａに対する螺子入れ量を調整することによって、異なる深さの埋込穴Ｃ２に対応して、上部枠体３Ａ及び下部枠体３Ｂから成る支持枠３を埋込穴Ｃ２に取り付けることができる。また、下部枠体３Ｂを上部枠体３Ａに螺子入れる際に、下部枠体３Ｂの鍔部３１が器具取付面Ｃ１と当接した後にも、上部枠体３Ａへの螺子入れを行なった場合、下部枠体３Ｂの位置は変化せず、その代わりに上部枠体３Ａが下部枠体３Ｂの方向に引き寄せられる。従って、上部枠体３Ａを係止する巻きばね２の弾性力により、下部枠体３Ｂは天井の器具取付面Ｃ１に堅固に固定することができる。また、第３の実施形態に係る埋込型照明器具１においても、第１の実施形態と同様の作用効果が得られる。
【００４８】
本発明は、上記実施形態の構成に限定されるものでなく、使用目的に応じ、様々な変形が可能である。例えば、埋込型照明器具１は、天井に限定されず、壁等の器具取付面に取り付けられても構わない。
【図面の簡単な説明】
【００４９】
【図１】本発明の第１の実施形態に係る埋込型照明器具の構成を示す分解斜視図。
【図２】上記埋込型照明器具の巻きばね及び支持枠の構成を示す斜視図。
【図３】（ａ）は上記巻きばねを上記支持枠に取り付けた状態を示す斜視図、（ｂ）は上記埋込型照明器具の灯体及び本体部を同支持枠に取り付けた状態を示す斜視図。
【図４】（ａ）は上記巻きばね及び支持枠の使用状態を示す断面図、（ｂ）は（ａ）で示される状態の支持枠に上記灯体及び本体部を取り付けたときの状態を示す断面図。
【図５】（ａ）は本発明の第２の実施形態に係る埋込型照明器具の巻きばね及び支持枠の構成を示す分解斜視図、（ｂ）は同支持枠の正面図、（ｃ）は同巻きばねを同支持枠に取り付けた状態を示す斜視図。
【図６】上記巻きばね及び支持枠の使用状態を示す断面図。
【図７】（ａ）は本発明の第３の実施形態に係る埋込型照明器具の巻きばね及び支持枠の構成を示す分解斜視図、（ｂ）は同支持枠の正面図、（ｃ）は同巻きばねを同支持枠に取り付けた状態を示す斜視図。
【図８】上記巻きばね及び支持枠の使用状態を示す断面図。
【符号の説明】
【００５０】
１  埋込型照明器具
２  巻きばね
２ａ  内径側端部
２ｂ  外径側端部
３  支持枠
３Ａ  上部枠体（第１の枠体）
３Ｂ  下部枠体（第２の枠体）
４  本体部
５  灯体
Ｃ  天井
Ｃ１  器具取付面
Ｃ２  埋込穴
Ｃ３  背面
【図１】
2008053148.tif 000003
【図２】
2008053148.tif 000004
【図３】
2008053148.tif 000005
【図４】
2008053148.tif 000006
【図５】
2008053148.tif 000007
【図６】
2008053148.tif 000008
【図７】
2008053148.tif 000009
【図８】
2008053148.tif 000010